(57)【要約】【課題】  火災発生時等に、避難誘導を確実にする避難誘導灯を提供する。【解決手段】  ＬＥＤ等からなる表示内容が可変な避難誘導灯を床面あるいは階段の踏板、階段の蹴込に設置する。この構成により、火災発生時に煙が上部に充満した場合でも、避難誘導灯の視認が容易である。  避難誘導時の表示は持続表示の他、点滅表示、間歇表示、あるいは動画表示が可能である。また、避難誘導に使用しないときには案内等が表示される。  さらに、音声機能を付加し、弱視者や盲人に対しても避難誘導を行うだけでなく、煙、停電により視界不良となった場合には視覚健常者に対しても有効である。【選択図】  図２
2006215703.tif 000002
【特許請求の範囲】
【請求項１】
マトリックス表示が可能な表示手段が床面に設けられ、前記表示手段に避難誘導用の文字，記号，画像が表示される避難誘導指示システム。
【請求項２】
マトリックス表示が可能な表示手段が階段の踏板及び蹴込に設けられ、前記表示手段に避難誘導用の文字，記号，画像が表示される避難誘導指示システム。
【請求項３】
さらに、音声表示機能を有する請求項１又は２の避難誘導指示システム。
【請求項４】
さらに、前記避難誘導用の文字，記号，画像，音声が変更される請求項１，２又は３の避難誘導指示システム。
【発明の詳細な説明】
【技術分野】
【０００１】
本発明は、火災等の緊急時に避難者を誘導するシステムに係るものである。
【背景技術】
【０００２】
人が多く出入りする建築物には、非常時に避難する経路を指示する避難誘導灯が設置されている。
【０００３】
従来の避難誘導灯は、半透明の板に避難者の姿を描いたピクトリアルデザイン表示あるいは「非常口」あるいは「ＥＸＩＴ」等の文字が表示されあるいはこれら両者が表示され、背面から小型の蛍光灯により照光され、壁面上部に取り付けあるいは天井に吊下されて設置されている。
【０００４】
また、避難誘導灯の補助手段として、壁面下部に取り付けられた小型の避難誘導灯あるいは、床面に設置されている小型の避難誘導灯もある。
【０００５】
特開平６−２８２７７２号公報に火災発生時に火災発生位置を避難者の現在位置を表示する「火災報知設備」が示されている。しかし、この設備は単に火災発生位置を表示するにとどまり、避難誘導の指示機能を有しない。
【０００６】
【特許文献１】特開平６−２８２７７２号公報
【発明の開示】
【発明が解決しようとする課題】
【０００７】
このような従来の避難誘導灯は壁面上部に取り付けあるいは天井に吊下されているものは、避難誘導が必要ではない平常時には避難路の所在が明らかであるが、避難誘導灯が必要とされることが最も多い火災発生時には煙が上部に充満し、肝腎な避難誘導灯が見えなくなるとの問題点を有する。
【０００８】
また、従来の避難誘導灯は常在者に避難路を熟知させることはできるが、避難路を知らないため最も避難誘導指示を必要とする外来者に避難誘導指示をすることができないとの問題点を有する。
【０００９】
壁面下部に取り付けられた避難誘導灯は小型にならざるを得ず、表示を読み取るのは困難であるため。機能は限定的であるとの問題点を有する。
【００１０】
床面に設置されている避難誘導灯は、保護用の樹脂製透明カバーを必要とするため、小型にならざるをえず、また多くの人に踏まれるため、透明カバーに傷が着き、表示が不鮮明になるとの問題点を有する。
【００１１】
また、従来の避難誘導灯全体に関わる表示が固定されているため、災害の状況により適切な避難誘導経路を変更する必要があるような場合であっても、適切な避難誘導指示を行うことができないとの問題点を有する。
【００１２】
さらに、弱視者や盲人に対しては従来の避難誘導灯は無力であるばかりでなく、視覚健常者に対しても、従来の避難誘導灯は小型の蛍光灯を光源としているため視認性が低いとの問題点を有する。
【課題を解決するための手段】
【００１３】
本件出願では、これらの問題点を解決した避難誘導灯を提供することを課題とし、以下の概要構成を有する。
【００１４】
本件出願にかかる発明の避難誘導灯は壁面上部に取り付けあるいは天井に吊下されるのではなく、床面、階段の踏板あるいは階段の蹴込に設置する。このようにすることにより、火災発生時に煙が上部に充満した場合でも、床には煙が少ないため、避難誘導灯が見えなくなることがない。
【００１５】
避難誘導灯は、平らな床の場合には床面に、階段の場合に、避難方向が上方向の場合には鉛直に形成された蹴込に、避難方向が下方向の場合には水平に形成された踏板に設置される。
【００１６】
表示は従来の半透明の表示板と蛍光灯との組合せに代えて、発光ダイオードによって行う。発光ダイオードを使用することにより、表示内容を随時変更することが可能になり、災害の状況により適切な避難誘導経路を変更する必要があるような場合であっても、適切な避難誘導指示を行うことができる。
【００１７】
発光ダイオードを表示素子に用いた場合には、発光ダイオード特有の視認性の高さにより、多くの人に踏まれるて樹脂製透明カバーに傷がついた場合でも、煙の中での視認性が確保される。
【００１８】
また、床面、階段の踏板あるいは階段の蹴込はかなり大きな面積を有しているため、大型にすることが可能であり、十分な量の情報を提供することができる。
【００１９】
さらに、音声機能を付加することにより、弱視者や盲人に対しても十分な避難誘導を行うことができる。この音声機能は弱視者や盲人だけではなく視覚健常者にも、煙、停電により視界不良となった場合に有効である。
【００２０】
点滅表示、間歇表示、あるいは動画表示を行うことにより視認性がより高くなる。
【動作】
【００２１】
本件出願に係る発明の避難誘導灯は、床面、階段踏込あるいは階段踏板に設置されているため、火災発生時に煙が上部に充満していても避難誘導灯を視認することができる。
【００２２】
また、表示内容を随時変更することが可能であり、大型にすることが可能であることもあいまって、種々の表示をすることが可能となる。
【００２３】
さらに、スピーカを内蔵させることにより、弱視者や盲人の視覚障害者だけでなく、停電、煙により視界不良時であっても視覚健常者に対して有効な避難誘導指示を行うことができる。
【実施例】
【００２４】
図面により、実施例を説明する。
図１は平らな床に適用した本発明の実施例である。この図において、１は床、２及び３は本発明に係る避難誘導灯である。これらの避難誘導灯２及び３の表示部は発光ダイオードのマトリクスで構成され、床面に埋設されており、表面は防弾ガラス等の透明な板で保護されている。
【００２５】
この実施例の表示器は横書き表示であるが、縦書き表示とすることも可能である。
【００２６】
避難誘導灯２と３は煙の中で両方を視認することが可能な間隔で配置されており、避難方向が避難誘導灯２の位置から避難誘導灯３の方向である場合には、避難誘導灯３のような表示が避難誘導灯２にもなされる。なお、避難方向が逆の場合には、避難誘導灯３に避難誘導灯２の表示がされることはいうまでもない。
【００２７】
表示の状態は最も単純なのは点灯したままであるが、避難者の注意を惹き、視認性を高めるために点滅表示、間歇表示を行い、避難方向を明示するために、矢印が流れる等の動画表示を行う。
【００２８】
床面に埋設された避難誘導灯の表面は防弾ガラス等でカバーされているが、防弾ガラスの表面に傷が付いても、発光面が半球状の透明樹脂で覆われている発光ダイオードの光は視認性が下がりにくい。
【００２９】
避難誘導灯にスピーカを内蔵させ、このスピーカから避難誘導指示を音声で流すことにより、弱視者や盲人である視覚障害者だけではなく視覚健常者であっても、煙・停電による視界不良の場合に有効な避難誘導指示を行うことができる。
その場合、音声は離れた場所でも認識できること、離れた場所から同時に同じ音声が発せられると聞き取りにくくなる場合場あるので、スピーカは全表示器に内蔵させるのではなく、限定された表示器のみに内蔵させる。
【００３０】
音声表示の内容は具体的には「ピン−ポーン」という警告音とか「ここから階段です」あるいは非常時に「火災発生、Ａ１出口に向かってください。ここから階段です。押し合わないでください」といった音声ガイダンスを行う。
【００３１】
表示部は例えば１６×１６ドットのＬＥＤのマトリックスからなる表示要素８文字分で構成されており、各ドットを点灯または消灯することにより文字やマーク等が表示することができる。また使用するＬＥＤにより、赤、緑の二色ＬＥＤの場合、赤、緑、橙の３色を表示することができる。赤、緑、青のＬＥＤを使用することによりカラー表示をすることも可能である。
【００３２】
さらに、表示内容をより複雑にしたい場合には１６×１６ドット以上のマトリックス表示を採用したり、あるいはイメージ表示が可能なようにより大きな表示器を採用することも可能である。
【００３３】
表示内容に従来使用されている避難誘導路を示すピクトグラムを用いることも可能である。
【００３４】
ＬＥＤによる文字表示は、色を変えたり、点滅させたりすることにより、注意を喚起できる。また表示方法も、大小の文字を組み合わせたり、文章を右から左に流したり、矢印を矢の方向に流れるように表示することも可能である。
【００３５】
図７に本件出願にかかる発明の避難誘導灯を用いた避難誘導システムを示す。
火災等の場合には、発生場所により最適の非難経路が選択されなければならない。従来の単一な表示では、かえって危険な箇所に誘導してしまう恐れがある。本発明はこれを改善するために、予め火災発生現場に応じて非難経路を設定し、火災発生時は設定された情報に基づいて最適な避難経路を指示する。
【００３６】
図７の避難誘導システムでは火災発生場所に応じて、最適な避難路を指示する。ここで４１，４２，４３・・・はそれぞれ各所に設けられている煙センサーや熱線センサー等の火災感知器、５１，５２，５３・・・は火災報知器、３１は制御部、３２は火災センサーや火災報知器の設置されている場所に応じて予め選択されている避難路に応じた表示情報を蓄積している表示データ保存部、６１，６２，６３は各所に設定されている表示器、３３は入力端末である。
【００３７】
ここで符号４２で示す火災感知器が火災を感知すると、その情報は制御部３１に伝送される。制御部３１は火災を火災感知器４２が感知していることに基づきそれぞれの場所に応じた最適な避難路を選択し、それぞれの場所に適した表示内容を表示データ保存部３２から取込み、その内容をそれぞれの表示装置６１，６２，６３に送出する。表示装置６１，６２，６３はそれぞれ受け取った表示データに応じて表示する。例えば地下鉄駅構内の火災の場合、表示装置６１は「Ａ１出口に進め」、表示装置６２は「この先火災、戻れ」、表示装置６３は「直進し、Ａ５出口に進め」等の表示を行うことにより火災発生場所に応じて最適な非難誘導路を指示することができる。
【００３８】
火災は時間経過に伴い状況が変化する。この状況変化に対応して、避難誘導の指示内容を変化させる。
【００３９】
文字等の入力はＲＳ−２３２ＣやEtherネット等のインタフェースを介して入力される。入力された内容は、必要に応じて選択されて表示される。
【００４０】
入力端末３３は、手動で操作する場合に用いられる。また入力端末３３を介して非常時の表示の他に、平常時は施設の案内や広告等の入力が行われる。例えば、階段である旨の注意として「ここから階段、足元注意」、「ここは左側通行」等の案内や、「ご旅行の相談はみどりの窓口へ」、「春の旅行シーズン到来、ご予約はお早めに」といった広告の表示も可能である。
【００４１】
階段は段差があるため、躓きや踏み外しによる事故が発生しがちである。そのため、火災等視界不良時に避難する場合に事故が発生するだけではなく、避難者が躓きや踏み外しをおそれて用心深く行動するため、避難行動が制限され、結果的に避難が遅れてしまうことがある。
【００４２】
図２に示すのはこのような事態を避けるために、本出願に係る発明を階段に適用した実施例である。
この図において、４は階段、５は水平面である踏板、６は鉛直面である蹴込、７は踏板５に設けられた表示器、８は蹴込６に設けられた表示器である。
ここに示す実施例では表示器７及び８には「出口↑」と表示される。これらの表示は避難誘導が必要なときにのみ表示されるが、それ以外のときには広告等が表示される。
【００４３】
踏板５に設けられた表示器７は避難方向が階段を降りる方向である場合に表示され、蹴込６に設けられた表示器８は避難方向が階段を昇る方向である場合に表示される。このように表示することにより、避難者に確実に避難路を指示することができる。
【００４４】
蹴込に設けられた表示器は階段を昇る避難者の正面に見えるため、視認効果が高い。また階段のステップを照らすので、暗闇でも階段の位置が判明できて躓き原因である凹凸の判断が可能である。
【００４５】
踏板に設けられた表示器は階段を降りる避難者の足元に見えるため、暗闇でも階段の位置が判明できて躓き原因である凹凸の判断が可能である。
【００４６】
表示器７と８は箱等の形状に一体に構成し、必要な表示面のみを踏板５及び蹴込６に露出させるようにすることもできる。
【００４７】
図３に、本出願に係る発明を階段に適用した他の実施例を示す。
避難方向が階段を昇る方向のみの場合は、踏板５に表示器を設ける必要はない。
【００４８】
この図において、１１は階段、５は水平面である踏板、６は鉛直面である蹴込、１２は蹴込６に設けられた表示器である。この実施例では、表示器１２は蹴込６にのみ設けられている。
なお、広告等他の表示を行うことを意図している場合には、踏板５にも表示器を設けることが可能である。
【００４９】
図４に、本出願に係る発明を階段に適用したさらに他の実施例を示す。
避難方向が階段を降りる方向のみの場合は、蹴込６に表示器を設ける必要はない。
【００５０】
この図において、１６は階段、５は水平面である踏板、６は鉛直面である蹴込、１７は踏板５に設けられた表示器である。この実施例では、表示器１７は踏板５にのみ設けられている。
なお、広告等他の表示を行うことを意図している場合には、蹴込６にも表示器を設けることが可能である。
【００５１】
表示は、必ずしも全ての踏み板及び／又は蹴込に設ける必要はない。
図５及び図６に示すさらに他の実施例では、表示器２２及び２３は蹴込６及び／又は踏板５に適宜間隔で設けられている。
【００５２】
その場合、図５及び図６に示すように表示器２２及び２３を隣接させることにより、設置作業負担が軽減される。さらに、図６の構成を採用した場合には表示器２７と２８は箱等の形状に一体に構成し、必要な表示面のみを踏板５及び蹴込６に露出させるようにすることができる。
【００５３】
また、表示器はＬＥＤを基に説明したが、液晶表示器やＥＬ等の表示装置でも良い。
【００５４】
実施例では床面及び階段に表示器を設けるものを示したが、壁面や天井に設置することができる。
【産業上の利用可能性】
【００５５】
以上説明した様に、本発明によると非常時にその場の状況に応じて適切な避難誘導の指示を行うことができる。また、階段という歩行状況が変化するため事故の起きやすい場所で注意喚起をすることができる。
【００５６】
さらに、表示器が足元に設けられているので、煙の影響が少なく、表示が明確に認識できる。
さらに、平常時には施設の案内や広告の表示にも使用可能である。
【図面の簡単な説明】
【００５７】
【図１】本発明を床面に適用した実施例図。
【図２】本発明を階段に適用した実施例図。
【図３】本発明を階段に適用した他の実施例図。
【図４】本発明を階段に適用したさらに他の実施例図。
【図５】本発明を階段に適用したさらに他の実施例図。
【図６】本発明を階段に適用したさらに他の実施例図。
【図７】本発明避難誘導システムの実施例。
【符号の説明】
【００５８】
１  床面
４，１１，１６，２１，２６  階段
２、３，７，８，１２，１７，２２，２３，２７，２８  表示器
４１，４２，４３  感知器
５１，５２，５３  報知器
３１  制御部
３２  表示データ保存部
３３  入力端末
６１，６２，６３，６７，６８，６９  表示器
【図１】
2006215703.tif 000003
【図２】
2006215703.tif 000004
【図３】
2006215703.tif 000005
【図４】
2006215703.tif 000006
【図５】
2006215703.tif 000007
【図６】
2006215703.tif 000008
【図７】
2006215703.tif 000009
【手続補正書】
【提出日】平成17年2月22日(2005.2.22)
【手続補正３】
【補正対象書類名】明細書
【補正対象項目名】００１７
【補正方法】変更
【補正の内容】
【００１７】
発光ダイオードを表示素子に用いた場合には、発光ダイオード特有の視認性の高さにより、多くの人に踏まれて樹脂製透明カバーに傷がついた場合でも、煙の中での視認性が確保される。
【手続補正４】
【補正対象書類名】明細書
【補正対象項目名】００３５
【補正方法】変更
【補正の内容】
【００３５】
図７に本件出願にかかる発明の避難誘導灯を用いた避難誘導システムを示す。火災等の場合には、発生場所により最適の避難経路が選択されなければならない。従来の単一な表示では、かえって危険な箇所に誘導してしまう恐れがある。本発明はこれを改善するために、予め火災発生現場に応じて避難経路を設定し、火災発生時は設定された情報に基づいて最適な避難経路を指示する。
【手続補正５】
【補正対象書類名】明細書
【補正対象項目名】００３７
【補正方法】変更
【補正の内容】
【００３７】
ここで符号４２で示す火災感知器が火災を感知すると、その情報は制御部３１に伝送される。制御部３１は火災を火災感知器４２が感知していることに基づきそれぞれの場所に応じた最適な避難路を選択し、それぞれの場所に適した表示内容を表示データ保存部３２から取込み、その内容をそれぞれの表示装置６１，６２，６３に送出する。表示装置６１，６２，６３はそれぞれ受け取った表示データに応じて表示する。例えば地下鉄駅構内の火災の場合、表示装置６１は「Ａ１出口に進め」、表示装置６２は「この先火災、戻れ」、表示装置６３は「直進し、Ａ５出口に進め」等の表示を行うことにより火災発生場所に応じて最適な避難誘導路を指示することができる。